【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
電極部を構成する一対の電極間に配置されて該一対の電極に供給される駆動信号に対応した表示が行われるとともに、該駆動信号が供給停止状態にあっても表示状態が維持される表示部と、
前記一対の電極に供給する駆動信号を生成するための制御部と、を備え、
前記表示部を、前記一対の電極のうち少なくとも一方の電極に近接して配置するとともに、前記一方の電極に対して脱着自在に配置するようにした、
ことを特徴とする情報処理装置。
【請求項２】
請求項１記載の情報処理装置において、
前記電極部のうち、いずれか一方の電極と、前記制御部とが設けられた本体部と、
前記電極部のうち他方の電極が設けられ、前記本体部とにより前記表示部を挟持する押さえ部と、
を備えたことを特徴とする情報処理装置。
【請求項３】
請求項１記載の情報処理装置において、
前記電極部のうちいずれか他方の電極を前記表示部に設けたことを特徴とする情報処理装置。
【請求項４】
請求項１ないし請求項３のいずれかに記載情報処理装置において、
前記一対の電極のうちいずれか一方の電極は略平板状の共通電極として構成した、
ことを特徴とする情報処理装置。
【請求項５】
請求項１ないし請求項４のいずれかに記載の情報処理装置において、
前記本体部は、略平板状の検出面を有し、該検出面上におけるユーザの指示位置を検出する位置検出部を更に備えたことを特徴とする情報処理装置。
【請求項６】
請求項５記載の情報処理装置において、
前記位置検出部は、電磁誘導方式の位置検出部であり、
ユーザによる位置指示を行う少なくとも一のコイルを有する位置指示器を更に備えたことを特徴とする情報処理装置。
【請求項７】
請求項５または請求項６に記載の情報処理装置において、
前記位置指示器による指示位置に対応する前記表示部の位置に情報を表示する、
ことを特徴とする情報処理装置。
【手続補正２】
【補正対象書類名】明細書
【補正対象項目名】０００４
【補正方法】変更
【補正の内容】
【０００４】
上記課題を解決するため、電極部を構成する一対の電極間に配置されて該一対の電極に供給される駆動信号に対応した表示が行われるとともに、該駆動信号が供給停止状態にあっても表示状態が維持される表示部と、前記一対の電極に供給する駆動信号を生成するための制御部と、を備え、前記表示部を、前記一対の電極のうち少なくとも一方の電極に近接して配置するとともに、前記一方の電極に対して脱着自在に配置するようにした、  ことを特徴としている。
上記構成によれば、表示部は、一対の電極のうち少なくとも一方の電極に近接して配置されるとともに、一方の電極に対して脱着自在に配置され、制御部により生成した駆動信号を一対の電極に供給することにより、駆動信号に対応した表示が行われるとともに、駆動信号が供給停止状態にあっても表示状態が維持される。
【手続補正３】
【補正対象書類名】明細書
【補正対象項目名】０００５
【補正方法】変更
【補正の内容】
【０００５】
この場合において、前記電極部のうち、いずれか一方の電極と、前記制御部とが設けられた本体部と、前記電極部のうち他方の電極が設けられ、前記本体部とにより前記表示部を挟持する押さえ部と、を備えるようにしてもよい。
また、前記電極部のうちいずれか他方の電極を前記表示部に設けるようにしてもよい。
さらに、前記一対の電極のうちいずれか一方の電極は略平板状の共通電極として構成してもよい。
【手続補正４】
【補正対象書類名】明細書
【補正対象項目名】０００６
【補正方法】変更
【補正の内容】
【０００６】
さらにまた、前記本体部は、略平板状の検出面を有し、該検出面上におけるユーザの指示位置を検出する位置検出部を更に備えるようにしてもよい。
また、前記位置検出部は、電磁誘導方式の位置検出部であり、ユーザによる位置指示を行う少なくとも一のコイルを有する位置指示器を更に備えるようにしてもよい。
さらに、前記位置指示器による指示位置に対応する前記表示部の位置に情報を表示するようにしてもよい。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、表示部の構成を簡略化でき、実際の紙のように使用することができ、ユーザが書き込んだり、ユーザが貼り付けた情報や書き込んだりした情報を容易に参照したりすることができる。
【手続補正１０】
【補正対象書類名】明細書
【補正対象項目名】００１４
【補正方法】変更
【補正の内容】
【００１４】
図３は、実施形態に係る情報入力装置の概要構成ブロック図である。
情報入力装置１０の本体部１２には、電子ペーパー１１に接触状態とされ、電子ペーパー１１に画像表示用電圧を印加するための電極部として機能するマトリクス電極部１６、ユーザがペン型位置指示器１５により指定した位置に対応する位置情報を入力するためのタブレット部１７および各種制御を行う制御部１８が設けられている。
【手続補正１１】
【補正対象書類名】明細書
【補正対象項目名】００１５
【補正方法】変更
【補正の内容】
【００１５】
図４は、タブレット部の概要構成図である。
タブレット部１７は、ペン型位置指示器１５によりユーザが位置指示を行うように構成されており、大別すると、ペン型位置指示器１５と協働して位置検出信号を生成する位置検出部３００と、位置検出部３００が生成した位置検出信号に基づいて位置座標データを生成し出力するとともに、ペン型位置指示器１５の操作データ（筆圧データ、スイッチ操作データなど）を生成し出力するタブレット制御部６００と、を備えている。
制御部１８は、各種インタフェース動作を行うインタフェース部１８Ａと、制御部１８全体を制御するマイクロコンピュータとして構成されたマイクロコンピュータユニット（ＭＣＵ）１８Ｂと、ＭＣＵ１８Ｂの制御下で電子ペーパー１１を実際に駆動するディスプレイドライバ１８Ｃと、を備えて構成されている。
一方、押さえ部１４には、電子ペーパー１１に接触状態とされ、マトリクス電極部１６と協働して電子ペーパー１１に画像表示用電圧を印加するための電極部として機能する共通電極部１９が設けられている。
【手続補正１２】
【補正対象書類名】明細書
【補正対象項目名】００１６
【補正方法】変更
【補正の内容】
【００１６】
ここで、タブレット部について図４を参照して詳細に説明する。
図４に示すように、タブレット部１７は、位置検出部３００の各ループコイル３２２及び各ループコイル３２４がタブレット制御部６００に接続された構成を有している。
ペン型位置指示器１５は、コイル及びコンデンサを含む共振回路２６を備え、共振回路２６にはＩＣ２５が接続される。
一方、タブレット部１７のタブレット制御部６００は、位置検出部３００が有する複数のループコイル３２２、３２４の中から一つのループコイルを選択する選択回路６０２と、選択回路６０２により選択されたループコイルに対して信号を送出する送信モード、及び、選択回路６０２により選択されたループコイルによってペン型位置指示器１５からの信号を受信する受信モードを切り替える送受切替回路６０３と、を備えている。
【手続補正１３】
【補正対象書類名】明細書
【補正対象項目名】００２１
【補正方法】変更
【補正の内容】
【００２１】
そして、制御回路６０１は、選択回路６０２によってループコイル３２２、３２４を順次選択させながら、Ａ／Ｄ変換回路６０８から入力されるデジタルデータを演算処理することにより、ペン型位置指示器１５によって指示された位置に近いループコイルを特定して、指示された位置の座標を求める。
また、ペン型位置指示器１５のＩＣ２５は、共振回路２６に誘導電流が流れる間、図示しない芯に加わる筆圧、及び、図示しないスイッチの操作状態を検出し、この筆圧及び操作状態に応じて、共振回路２６に対する発振信号の送出タイミング及び送出時間を変化させる。
【手続補正１４】
【補正対象書類名】明細書
【補正対象項目名】００２２
【補正方法】変更
【補正の内容】
【００２２】
この送出タイミング及び送出時間の変化は、サンプルホールド回路６０７に保持された電圧値をＡ／Ｄ変換回路６０８によってデジタルデータに変換する際に反映される。そして、タブレット部１７の制御回路６０１は、Ａ／Ｄ変換回路６０８から入力されるデジタルデータを演算処理することにより、図示しない芯に加わる筆圧、及び、図示しないスイッチの操作状態を取得する。
その後、制御回路６０１は、ペン型位置指示器１５によって指示された位置に対応する位置座標データおよび、ペン型位置指示器１５における、図示しない芯に加わる筆圧、及び、図示しないスイッチの操作状態を示す操作データを本体部１２側に出力する。
【手続補正１５】
【補正対象書類名】明細書
【補正対象項目名】００２４
【補正方法】変更
【補正の内容】
【００２４】
電子ペーパー１１は、透明フィルム５１と、白色フィルム５２と、透明フィルム５１および白色フィルム５２の周囲に設けられたスペーサ５３と、スペーサ５３により形成された透明フィルム５１と白色フィルム５２との間の隙間に挟み込まれて配置された複数のマイクロカプセル５４と、を有している。マイクロカプセル５４は電気泳動層を構成するものであり、各マイクロカプセル５４には電気泳動分散液６０（図６参照）が封入されている。
マトリクス電極部１６は、複数のドット電極５６を備えており、このドット電極５６は、表示の最小単位であるドットごとに設けられた電極である。なお、図６においては、ドット電極５６のうち、ある時点の動作状態において、正電位となるドット電極５６をドット電極５６Ｐと表記し、アース電位（負電位）ドット電極５６をドット電極５６Ｅと表記している。
【手続補正１６】
【補正対象書類名】明細書
【補正対象項目名】００２６
【補正方法】変更
【補正の内容】
【００２６】
このような構成の電子ペーパー１１を本体部１２および押さえ部１４の間に挟み込む場合には、透明フィルム５１が押さえ部１４側に対面するように収容される。
この結果、電子ペーパー１１の透明フィルム５１が押さえ部１４内の透明電極５０に接触するようにされ、電子ペーパー１１の白色フィルム５２が本体部１２内のドット電極５６に接触するようにされる。
このような状態において、透明窓１４Ａ側からは、ガラス基板５５および透明電極５０を介してマイクロカプセル５４が呈する表示色が視認されることとなる。
【手続補正１７】
【補正対象書類名】明細書
【補正対象項目名】００２７
【補正方法】変更
【補正の内容】
【００２７】
さて、透明電極５０と各ドット電極５６には、図６に示すように、電気配線ＥＬ、ＥＬｃを介して、本体部１２のディスプレイドライバ１８Ｃから所定電圧の駆動信号が供給され、マイクロカプセル５４に封入された電気泳動分散液６０に電界が付与される。マイクロカプセル５４内の電気泳動分散液中には、図６に示すように、電気泳動粒子として黒色に着色された黒粒子６１と、白色に着色された白粒子６２とが分散されている。これら黒粒子６１および白粒子６２は互いに異なる極性に帯電しており、本実施の形態では、黒粒子６１が正側、白粒子６２が負側に帯電している。
【手続補正１８】
【補正対象書類名】明細書
【補正対象項目名】００２８
【補正方法】変更
【補正の内容】
【００２８】
したがって、タブレット部１７において、ペン型位置指示器１５によりユーザが書き込みを行って、位置指示を行うと、位置検出部３００がペン型位置指示器１５と協働して位置検出信号を生成し、この生成した位置検出信号に基づいて位置座標データを生成し出力するとともに、タブレット制御部６００がペン型位置指示器１５の操作データ（筆圧データ、スイッチ操作データなど）を生成しインタフェース部１８Ａを介して、ＭＣＵ１８Ｂに出力する。
この結果、ＭＣＵ１８Ｂは、ディスプレイドライバ１８Ｃを制御し、書き込みがあった場合には、黒く表示すべきドットに対応するドット電極５６Ｐについて、ディスプレイドライバ１８Ｃを制御し、ディスプレイドライバ１８Ｃ内で透明電極５０が低電位側電源（アース側電源；アース電位）ＶE側に接続され、ドット電極５６Ｐが高電位側電源（正電位）ＶH側に接続されるようにする。
【手続補正１９】
【補正対象書類名】明細書
【補正対象項目名】００３２
【補正方法】変更
【補正の内容】
【００３２】
［２］第２実施形態
上記第１実施形態は、電子ペーパーに対して両面から電極を接触させる必要があるため、電子ペーパーの片面にしか表示が行えない場合であったが、本第２実施形態は、電子ペーパーの両面に表示が行えるようにした実施形態である。
図７は、第２実施形態に係る情報入力装置の外観説明図である。
情報入力装置７０は、情報保持型表示シートとして機能する電子ペーパー７１が載置される本体部７２と、電子ペーパー７１を上面側から押さえ込む透明な押さえ部７４と、ペン型位置指示器１５と、を備えている。
押さえ部７４には、電子ペーパー７１を本体部７２に載置し、抑えた場合に、電子ペーパー７１の共通電極端子部７１Ａに電気的に接続される共通電極コネクタ部７４Ａが設けられている。
【手続補正２０】
【補正対象書類名】明細書
【補正対象項目名】００３６
【補正方法】変更
【補正の内容】
【００３６】
上述の電子ペーパー７１を本体部７２および押さえ部７４の間に挟み込む場合には、通常の紙の場合と同様に、書き込みを行おうとする透明フィルム７１Ｄが上側となるように、押さえ部７４側に対面するように本体部７２に載置する。
この結果、電子ペーパー７１の書き込みを行おうとする側の透明フィルム７１Ｄが押さえ部７４のマトリクス電極部７６に接触することとなる。
このような状態において、透明な押さえ部７４側からは、ガラス基板７６Ａを介してマイクロカプセル５４が呈する表示色が視認されることとなる。
さて、共通電極７１Ｂと各ドット電極７７には、図１１に示すように、電気配線ＥＬ、ＥＬｃを介して、本体部７２のディスプレイドライバ１８Ｃから所定電圧の駆動信号が供給され、マイクロカプセル５４に封入された電気泳動分散液６０に電界が付与される。本第２実施形態においても、マイクロカプセル５４内の電気泳動分散液６０中には、図６の第１実施形態において示したように、電気泳動粒子として黒色に着色された黒粒子６１と、白色に着色された白粒子６２とが分散されている。
【手続補正２１】
【補正対象書類名】明細書
【補正対象項目名】００４１
【補正方法】変更
【補正の内容】
【００４１】
以上の説明のように、本第２実施形態の情報入力装置によれば、電子ペーパー７１には、マトリクス電極を設ける必要がないので、電子ペーパー７１の製造コストを低減できるとともに、両面を独立して表示することができるため、より一層、紙のような使い方が可能となる。
この場合において、電子ペーパー７１の書き込みを行わない面については、本体部７２側に保持電極として、共通電極７１Ｂの電位と同電位となる電極を一面に形成すれば、無用な電圧が印加されることなく、より確実に表示状態を保持することができる。
【手続補正２２】
【補正対象書類名】明細書
【補正対象項目名】００４４
【補正方法】変更
【補正の内容】
【００４４】
図１３は、電子ペーパーの使用状態を説明するための斜視図である。
図１４は、電子ペーパーの使用状態を説明するための断面図である。
なお、図１４においては、電極への配線は説明に必要な最低限のものを除き省略している。
この場合において、電子ペーパーとしては、第１実施形態に示したように、片面表示型の電子ペーパー１１を用いることが可能である。
本第３実施形態においては、上述の電子ペーパー１１を挟み込んで保持する必要がなく、本体部８１に載置するには、通常の紙の場合と同様に、書き込みを行おうとする透明フィルム７１Ｄが上側となるように載置する。
【手続補正２３】
【補正対象書類名】明細書
【補正対象項目名】００４５
【補正方法】変更
【補正の内容】
【００４５】
このとき、本体部８１の載置面８１Ａに微細な孔をあけておき、当該孔から本体部８１の内部に設けたファンやマイクロポンプにより、電子ペーパー１１を吸引して吸着するようにすることにより、マトリクス電極８２および共通電極８４を電子ペーパー１１に密着させることができる。
このような状態において、マトリクス電極８２および共通電極８４の下方には、タブレット部１７を構成する位置検出部３００が配置されている。
さて、マトリクス電極８２を形成するドット電極８３および共通電極８４には、図１４に示すように、電気配線ＥＬ、ＥＬｃを介して、表示ユニット１２のディスプレイドライバ１８Ｃから所定電圧の駆動信号が供給され、マイクロカプセル５４に封入された電気泳動分散液６０に電界が付与される。本第３実施形態においても、マイクロカプセル５４内の電気泳動分散液６０中には、図６の第１実施形態において示したように、電気泳動粒子として黒色に着色された黒粒子６１と、白色に着色された白粒子６２とが分散されている。
【手続補正２４】
【補正対象書類名】明細書
【補正対象項目名】００４６
【補正方法】変更
【補正の内容】
【００４６】
したがって、タブレット部１７において、ペン型位置指示器１５によりユーザが書き込みを行って、位置指示を行うと、位置検出部３００がペン型位置指示器１５と協働して位置検出信号を生成し、この生成した位置検出信号に基づいて位置座標データを生成し出力するとともに、タブレット制御部６００がペン型位置指示器１５の操作データ（筆圧データ、スイッチ操作データなど）を生成しインタフェース部１８Ａを介して、ＭＣＵ１８Ｂに出力する。
この結果、ＭＣＵ１８Ｂは、ディスプレイドライバ１８Ｃを制御し、ペン型位置指示器１５により書き込みがなされた場合には、ディスプレイドライバ１８Ｃを制御し、ディスプレイドライバ１８Ｃ内で共通電極８４が高電位側電源（正電位）ＶH側に接続され、ドット電極８３Ｅが低電位側電源（アース側電源；アース電位）ＶE側に接続されるようにする。なお、ペン型位置指示器１５により書き込みがなされていない領域のドット電極８３は、全て、共通電極８４と同電位のドット電極８３Ｐとなるように高電位側電源（正電位）ＶH側に接続される。
【手続補正２５】
【補正対象書類名】明細書
【補正対象項目名】００４７
【補正方法】変更
【補正の内容】
【００４７】
これにより、共通電極８４からドット電極８３Ｅに向かう電界が発生し、図１２に示したように、マイクロカプセル５４内のプラスに帯電した黒粒子６１が上方側に移動することとなり、負側に帯電した白粒子６２が下方側に引き寄せられる。この結果、マイクロカプセル５４が黒色を呈するため、当該マイクロカプセル５４が対応する領域、すなわち、ペン型位置指示器１５により書き込みがなされた領域は、黒のドットを表示することとなる。
これとは逆に、黒く表示している領域を白く表示する場合（例えば、消しゴムをかけるような使い方をする場合）には、ＭＣＵ１８Ｂは、ディスプレイドライバ１８Ｃを制御し、ディスプレイドライバ１８Ｃ内で共通電極８４が高電位側電源（正電位）ＶH側に接続され、ドット電極８３が低電位側電源（アース側電源；アース電位）ＶE側に接続されるようにする。なお、ペン型位置指示器１５により書き込みがなされていない領域のドット電極８３は、全て、共通電極８４と同電位のドット電極８３Ｐとなるように高電位側電源（正電位）ＶH側に接続される。
【手続補正２６】
【補正対象書類名】明細書
【補正対象項目名】００４８
【補正方法】変更
【補正の内容】
【００４８】
これにより、ドット電極８３側から共通電極８４に向かう電界が発生し、図６に示すように、マイクロカプセル５４内のプラスに帯電した黒粒子６１がドット電極８３側に移動することとなり、負側に帯電した白粒子６２が共通電極８４側に引き寄せられる。この結果、マイクロカプセル５４が白を呈するため、当該マイクロカプセル５４が対応する領域は、白のドットを表示することとなる。
同様にして、ＭＣＵ１８Ｂは、透明電極５０が交互に高電位側電源ＶHあるいは低電位側電源ＶEに接続しつつ、行うことにより表示を切り替えることとなる。このとき、上述したように、共通電極８４と書換を行わないドット電極８３との間に電位差を生じないようにドット電極８３の電位が設定されるので、当該ドット電極に対応する黒粒子６１および白粒子６２については、移動が生じないため、表示色は変化せずに以前の状態が維持されることとなる。
【手続補正２７】
【補正対象書類名】明細書
【補正対象項目名】００４９
【補正方法】変更
【補正の内容】
【００４９】
以上の説明のように、本第３実施形態の情報入力装置によれば、電子ペーパー７１には、電極を設ける必要がないので、電子ペーパー７１の製造コストを低減でき、より一層、紙のような使い方が可能となる。さらに、情報入力装置にも押さえ部を設ける必要がなく、電極部は、本体部のみに設けられることとなり、製造コストの低減が図れる。
【手続補正２８】
【補正対象書類名】明細書
【補正対象項目名】００５３
【補正方法】変更
【補正の内容】
【００５３】
以上の説明では、ペン型位置指示器１５は位置検出部３００との間で無線信号を送受信することにより、位置を指示する構成としたが、本発明はこれに限定されない。例えば、ペン型位置指示器１５が電源装置を内蔵し、ペン型位置指示器１５から位置検出部３００に対して一方的に信号を送信するものとしてもよい。
【手続補正２９】
【補正対象書類名】図面
【補正対象項目名】図３
【補正方法】変更
【補正の内容】
【図３】
2007206846.tif 000001
【手続補正３０】
【補正対象書類名】図面
【補正対象項目名】図４
【補正方法】変更
【補正の内容】
【図４】
2007206846.tif 000002
【手続補正３１】
【補正対象書類名】図面
【補正対象項目名】図５
【補正方法】変更
【補正の内容】
【図５】
2007206846.tif 000003
【手続補正３２】
【補正対象書類名】図面
【補正対象項目名】図６
【補正方法】変更
【補正の内容】
【図６】
2007206846.tif 000004
【手続補正３３】
【補正対象書類名】図面
【補正対象項目名】図１１
【補正方法】変更
【補正の内容】
【図１１】
2007206846.tif 000005
【手続補正３４】
【補正対象書類名】図面
【補正対象項目名】図１２
【補正方法】変更
【補正の内容】
【図１２】
2007206846.tif 000006
【手続補正３５】
【補正対象書類名】図面
【補正対象項目名】図１４
【補正方法】変更
【補正の内容】
【図１４】
2007206846.tif 000007